(57)【特許請求の範囲】
【請求項１】
接続対象物を所定位置に挿入可能なコネクタ本体と、コネクタ本体に挿入された接続対象物と接触する複数の端子と、接続対象物に設けられた切り欠き部に係合可能な係合部を有する仮保持部材と、コネクタ本体に回動自在に設けられた回動部材とを備え、回動部材を所定位置まで回動した状態で接続対象物をコネクタ本体に挿入すると、仮保持部材に設けられた可動片部の弾性変形により係合部が接続対象物の先端と切り欠き部との間を乗り越えて切り欠き部に係合するようにしたコネクタにおいて、
前記回動部材を他の所定位置まで回動すると、回動部材が仮保持部材の係合部に当接して係合部の係合解除方向への移動を規制するように構成した
ことを特徴とするコネクタ。
【請求項２】
前記仮保持部材に外部の基板に固定可能な固定部を設けた
ことを特徴とする請求項１記載のコネクタ。
【請求項３】
前記回動部材を前記他の所定位置まで回動すると、回動部材によって各端子が押圧されて各端子が接続対象物に圧接するように構成した
ことを特徴とする請求項１または２記載のコネクタ。
【発明の詳細な説明】
【技術分野】
【０００１】
本発明は、例えばフレキシブルプリント回路（ＦＰＣ）やフレキシブルフラットケーブル（ＦＦＣ）等を接続するためのコネクタに関するものである。
【背景技術】
【０００２】
従来、この種のコネクタとしては、ＦＰＣまたはＦＦＣからなる接続対象物を所定位置に挿入可能なコネクタ本体と、コネクタ本体に挿入された接続対象物と電気的に接触する複数の端子と、コネクタ本体に回動自在に設けられた回動部材とを備え、回動部材を所定位置まで回動した状態で接続対象物をコネクタ本体に挿入した後、回動部材を他の所定位置まで回動することにより、回動部材によって接続対象物を各端子に押圧するようにしたものが知られている（例えば、特許文献１参照。）。
【０００３】
しかしながら、前記コネクタでは、接続対象物をコネクタ本体に挿入した後、回動部材によって接続対象物が各端子に押圧されるまでは接続対象物が保持されていないため、接続対象物が抜けないように手で押さえながら回動部材を操作しなければならず、作業性に劣るという問題がある。そこで、接続対象物の幅方向両側に設けられた切り欠き部に係合可能な係合部を有する仮保持部材を設け、接続対象物をコネクタ本体に挿入すると、仮保持部材の弾性変形により係合部が接続対象物の先端と切り欠き部との間を乗り越えて切り欠き部に係合し、仮保持部材によって接続対象物の反挿入方向への移動を規制するようにしたものが知られている（例えば、特許文献２参照。）。
【特許文献１】特開２００７−２８０７８５号公報
【特許文献２】特開２００４−１６５０４６号公報
【発明の開示】
【発明が解決しようとする課題】
【０００４】
ところで、前記コネクタにおいては、接続対象物をコネクタ本体に挿入した後、回動部材によって接続対象物を各端子に押圧した状態でも、接続対象物は各端子の弾性力によって保持されているにすぎないため、接続対象物に反挿入方向への力が加わると、接続対象物がコネクタ本体から抜けたり、位置ずれを生じたりするおそれがあった。この場合、接続対象物の切り欠き部には仮保持部材の係合部が係合しているが、この係合状態は仮保持部材の弾性力のみで保持されているため、接続対象物の反挿入方向への引き抜きを確実に防止することはできなかった。
【０００５】
本発明は前記問題点に鑑みてなされたものであり、その目的とするところは、接続対象物を挿入時に仮保持することができるとともに、接続後も接続対象物の引き抜きを確実に防止することのできるコネクタを提供することにある。
【課題を解決するための手段】
【０００６】
本発明は、前記目的を達成するために、接続対象物を所定位置に挿入可能なコネクタ本体と、コネクタ本体に挿入された接続対象物と接触する複数の端子と、接続対象物に設けられた切り欠き部に係合可能な係合部を有する仮保持部材と、コネクタ本体に回動自在に設けられた回動部材とを備え、回動部材を所定位置まで回動した状態で接続対象物をコネクタ本体に挿入すると、仮保持部材に設けられた可動片部の弾性変形により係合部が接続対象物の先端と切り欠き部との間を乗り越えて切り欠き部に係合するようにしたコネクタにおいて、前記回動部材を他の所定位置まで回動すると、回動部材が仮保持部材の係合部に当接して係合部の係合解除方向への移動を規制するように構成している。
【０００７】
これにより、回動部材を所定位置まで回動した状態で接続対象物をコネクタ本体に挿入すると、仮保持部材の係合部が接続対象物の切り欠き部に係合し、回動部材を他の所定位置まで回動すると、回動部材が仮保持部材の係合部に当接し、係合部の係合解除方向への移動が規制されることから、接続対象物を挿入時に仮保持することができるとともに、回動部材を他の所定位置まで回動した後は、接続対象物に引き抜き方向への力が加わっても、仮保持部材と接続対象物との係合が解除されることがない。
【発明の効果】
【０００８】
本発明によれば、接続対象物を挿入時に仮保持することができるとともに、接続後に接続対象物に引き抜き方向への力が加わっても、仮保持部材と接続対象物との係合が解除されることがないので、接続対象物の反挿入方向への引き抜きを確実に防止することができる。
【発明を実施するための最良の形態】
【０００９】
図１乃至図１１は本発明の一実施形態を示すもので、図１はコネクタの全体斜視図、図２はフレキシブル回路の部分正面図、図３はコネクタを仮保持部材の部分で破断した斜視図、図４はコネクタを端子の部分で破断した斜視図、図５乃至図８はコネクタを仮保持部材の部分で破断した側面断面図、図９乃至図１１はコネクタを端子の部分で破断した側面断面図である。
【００１０】
このコネクタは、接続対象物としてのフレキシブル回路１の先端側が挿入されるコネクタ本体１０と、コネクタ本体１０内に互いに幅方向に等間隔で配列された複数の端子２０と、コネクタ本体１０に回動自在に設けられた回動部材３０と、コネクタ本体１０に挿入されたフレキシブル回路１に係合する一対の仮保持部材４０とから構成されている。
【００１１】
フレキシブル回路１は、いわゆるフレキシブルフラットケーブル（ＦＦＣ）またはフレキシブルプリント回路（ＦＰＣ）からなり、その先端側の一方の面（正面側）には複数の導電部１ａが互いに幅方向に間隔をおいて設けられている。また、フレキシブル回路１の幅方向両側にはそれぞれ切り欠き部１ｂが設けられている。
【００１２】
コネクタ本体１０は合成樹脂の成形品からなり、その上面にフレキシブル回路１が挿入されるように形成されている。コネクタ本体１０は、上面部１１、前面部１２、背面部１３及び側面部１４を有し、前面部１２の上部は回動部材３０を配置するために開口している。また、上面部１１にはフレキシブル回路１を挿入するための挿入口１１ａが設けられ、背面部１３には各端子２０を保持するための端子保持孔１３ａが設けられている。
【００１３】
各端子２０は導電性の金属板からなり、コネクタ本体１０内にそれぞれ底面側から圧入することによって保持されている。端子２０は、フレキシブル回路１に接触する弾性片部２１と、回動部材３０を支持する支持片部２２と、コネクタ本体１０に固定される固定片部２３とからなる。弾性片部２１は端子２０の下端側から上方に延びるとともに、後方にＵ字状に屈曲して下方に向かって延びるように形成され、その先端側には後方に向かって突出する接触部２１ａが設けられている。支持片部２２は端子２０の下端側から上方に延びるように形成され、その上端側には後方に向かって突出する突出部２２ａが設けられている。固定片部２３は端子２０の下端側から上方に延びるように形成され、コネクタ本体１０の端子保持孔１３ａに圧入されることにより、端子２０をコネクタ本体１０に固定するようになっている。また、端子２０の下端には図示しない外部の基板に接続される接続部２４が設けられ、接続部２４は各端子２０の前方と後方に端子配列方向の一つおきに交互に配置されるように形成されている。
【００１４】
回動部材３０は合成樹脂の成形品からなり、コネクタ本体１０の前面側上部に配置されている。回動部材３０の一端側には断面略楕円形状の回動支点部３１が設けられ、回動支点部３１は端子２０の支持片部２２によって回動自在に支持されている。この場合、回動支点部３１は支持片部２２の突出部２２ａに載置されるように支持され、回動部材３０を所定の上方回動位置から所定の下方回動位置まで回動すると、回動支点部３１が端子２０の弾性片部２１側に突出し、回動支点部３１によって弾性片部２１が後方に押圧されるようになっている。また、回動部材３０の幅方向両端には仮保持部材４０に当接する当接部３２が設けられ、回動部材３０を所定の上方回動位置から所定の下方回動位置まで回動すると、当接部３２が仮保持部材４０に当接するようになっている。
【００１５】
各仮保持部材４０は金属板からなり、コネクタ本体１０内にそれぞれ底面側から圧入することにより、コネクタ本体１０の幅方向両側にそれぞれ保持されている。仮保持部材４０は上方に延びる弾性変形可能な可動片部４１を有し、可動片部４１の上端にはフレキシブル回路１の切り欠き部１ｂに係合する係合部４１ａが設けられている。係合部４１ａの後端側は後方に向かって突出するように形成され、その上端から下方に向かって斜め後方に傾斜するように形成されている。係合部４１ａの前端側は前方に向かって突出するように形成され、回動部材３０の当接部３２が当接するようになっている。また、仮保持部材４０の下端には前後一対の固定部４２が設けられ、各固定部４２を図示しない外部の基板に半田付けすることにより、仮保持部材４０が基板に固定されるようになっている。
【００１６】
以上のように構成されたコネクタにおいては、図５に示すように回動部材３０を所定の上方回動位置に回動した状態でコネクタ本体１０の挿入口１１ａにフレキシブル回路１の先端側を上方から挿入すると、図６に示すようにフレキシブル回路１の先端が仮保持部材４０の係合部４１ａの後端側傾斜面に当接し、係合部４１ａが可動片部４１の弾性変形によりフレキシブル回路１の先端と切り欠き部１ｂとの間に乗り上げる。この後、更にフレキシブル回路１を挿入すると、図７に示すように係合部４１ａがフレキシブル回路１の先端と切り欠き部１ｂとの間を乗り越えるとともに、可動片部４１が復元して係合部４１ａが切り欠き部１ｂ内に嵌合し、フレキシブル回路１が仮保持部材４０によって仮保持される。次に、図８に示すように回動部材３０を前記上方回動位置から所定の下方回動位置まで９０゜回動すると、回動部材３０の当接部３２が仮保持部材４０の係合部４１ａの前端側に当接し、当接部３２によって係合部４１ａの係合解除方向への移動が規制される。
【００１７】
また、前述のように回動部材３０を所定の上方回動位置に回動した状態でコネクタ本体１０の挿入口１１ａにフレキシブル回路１の先端側を挿入すると、図１０に示すように各端子２０はフレキシブル回路１との接触による弾性変形を生じないため、挿入抵抗を生ずることなくフレキシブル回路１が仮保持部材４０との係合位置まで挿入される。この後、図１１に示すように回動部材３０を前記上方回動位置から前記下方回動位置まで回動すると、回動部材３０の回動支点部３１によって端子２０の弾性片部２１がフレキシブル回路１側に押圧され、弾性片部２１の接触部２１ａがフレキシブル回路１に圧接する。
【００１８】
このように、本実施形態のコネクタによれば、回動部材３０を所定の上方回動位置まで回動した状態でフレキシブル回路１をコネクタ本体１０に挿入すると、仮保持部材４０の係合部４１ａがフレキシブル回路１の切り欠き部１ｂに係合し、回動部材４０を所定の下方回動位置まで回動すると、回動部材３０が仮保持部材４０の係合部４１ａに当接して係合部４１ａの係合解除方向への移動を規制するようにしたので、フレキシブル回路１を挿入時に仮保持することができるとともに、回動部材３０を下方回動位置まで回動した後は、フレキシブル回路１に引き抜き方向への力が加わっても、仮保持部材４０とフレキシブル回路１との係合が解除されることがないので、フレキシブル回路１の反挿入方向への引き抜きを確実に防止することができる。
【００１９】
また、フレキシブル回路１の挿入時に仮保持部材４０の係合部４１ａがフレキシブル回路１の切り欠き部１ｂに係合する際、フレキシブル回路１の先端と切り欠き部１ｂとの間を仮保持部材４０の弾性変形により係合部４１ａが乗り越えた後、仮保持部材４０が復元しながら係合部４１ａが切り欠き部１ｂに嵌合するので、係合部４１ａが切り欠き部１ｂに嵌合した際の音と感触の発生により、フレキシブル回路１をコネクタ本体１０内の所定位置まで挿入したことを容易に判断することができ、フレキシブル回路１の挿入不足による接続不良を確実に防止することができる。
【００２０】
更に、仮保持部材４０に外部の基板に固定可能な固定部４２を設けたので、コネクタ本体１０を基板に確実に固定することができるとともに、基板固定用の部材を別途設ける必要がないので、部品点数を少なくすることができる。
【図面の簡単な説明】
【００２１】
【図１】本発明の一実施形態を示すコネクタの全体斜視図
【図２】フレキシブル回路の部分正面図
【図３】コネクタを仮保持部材の部分で破断した斜視図
【図４】コネクタを端子の部分で破断した斜視図
【図５】コネクタを仮保持部材の部分で破断した側面断面図
【図６】コネクタを仮保持部材の部分で破断した側面断面図
【図７】コネクタを仮保持部材の部分で破断した側面断面図
【図８】コネクタを仮保持部材の部分で破断した側面断面図
【図９】コネクタを端子の部分で破断した側面断面図
【図１０】コネクタを端子の部分で破断した側面断面図
【図１１】コネクタを端子の部分で破断した側面断面図
【符号の説明】
【００２２】
１…フレキシブル回路、１ｂ…切り欠き部、１０…コネクタ本体、２０…端子、３０…回動部材、３１…当接部、４０…仮保持部材、４１ａ…係合部、４２…固定部。
【図１】
0005215700.tif 000002
【図２】
0005215700.tif 000003
【図３】
0005215700.tif 000004
【図４】
0005215700.tif 000005
【図５】
0005215700.tif 000006
【図６】
0005215700.tif 000007
【図７】
0005215700.tif 000008
【図８】
0005215700.tif 000009
【図９】
0005215700.tif 000010
【図１０】
0005215700.tif 000011
【図１１】
0005215700.tif 000012